(57)【要約】【課題】軽負荷時を含む広範囲の負荷に対してソフトスイッチングが可能な電力変換装置を提供する。【解決手段】第１のＤＣ／ＤＣコンバータ４０と第２のＤＣ／ＤＣコンバータ５０を負荷である駆動用蓄電池３０へ並列に接続し、それぞれのＤＣ／ＤＣコンバータのスイッチ素子１１０〜１４０、３１０〜３４０の駆動を制御する電力変換制御部６００を設け、負荷へ供給する電流指令値とソフトスイッチング可能な範囲との関係から、ＤＣ／ＤＣコンバータの動作させる数を決定することで、ソフトスイッチングの領域から外れることなく電力を変換することができる。【選択図】図１
2014236620.tif 000002
【特許請求の範囲】
【請求項１】
スイッチ素子と共振用コンデンサと共振用インダクタを具備し、前記共振用コンデンサと前記共振用インダクタの共振現象を利用してソフトスイッチングを行う1組のＤＣ／ＤＣコンバータと、前記ＤＣ／ＤＣコンバータの各スイッチ素子の駆動を制御する電力変換制御部を備え、前記ＤＣ／ＤＣコンバータは少なくとも２組以上設けて、それぞれが負荷に対して並列に接続され、前記電力変換制御部は、前記負荷へ供給する電流指令値とソフトスイッチング可能な範囲との関係から、動作させるＤＣ／ＤＣコンバータの数を決定することを特徴とする電力変換装置。
【請求項２】
前記電力変換制御部は、負荷へ供給する電流指令値が所定値Ｘより大きい場合は、少なくとも２組以上のＤＣ／ＤＣコンバータを動作させるようにし、前記所定値Ｘは１組のＤＣ／ＤＣコンバータだけを動作させた場合に出力可能でかつソフトスイッチングが成立する電流指令値の上限と、２組以上のＤＣ／ＤＣコンバータを共に動作させた場合にソフトスイッチングが成立する電流指令値の下限の間に設定するようにした請求項１に記載の電力変換装置。
【請求項３】
前記電力変換制御部は、少なくとも1組以上のＤＣ／ＤＣコンバータの動作を休止させている場合に、所定期間経過するごとに、休止させるＤＣ／ＤＣコンバータを変更することを特徴とする請求項１または請求項２に記載の電力変換装置。
【請求項４】
前記電力変換制御部は、前記ＤＣ／ＤＣコンバータの１組ごとの動作時間を計測する動作時間計測処理部を有し、１組以上のＤＣ／ＤＣコンバータの動作を休止とする場合に、動作時間が多いＤＣ／ＤＣコンバータを優先的に休止するように選択することを特徴とする請求項１乃至請求項３のいずれか１項に記載の電力変換装置。
【請求項５】
前記電力変換装置は、前記ＤＣ／ＤＣコンバータの１組ごとの温度を測定する温度測定部を備え、前記電力変換制御部は、１組以上のＤＣ／ＤＣコンバータの動作を休止とする場合に、温度がより高いＤＣ／ＤＣコンバータを優先的に休止するように選択することを特徴とする請求項１乃至請求項４のいずれか１項に記載の電力変換装置。
【請求項６】
前記電力変換制御部は、１組以上のＤＣ／ＤＣコンバータの動作を休止とする場合に、動作時間よりも温度がより高いＤＣ／ＤＣコンバータを優先的に休止するように選択することを特徴とする請求項５に記載の電力変換装置。
【発明の詳細な説明】
【技術分野】
【０００１】
この発明はＤＣ／ＤＣコンバータを使用した電力変換装置に関し、特に軽負荷時を含む広範囲の負荷に対してソフトスイッチングが可能なＤＣ／ＤＣコンバータを使用した電力変換装置に関するものである。
【背景技術】
【０００２】
近年、環境意識の高まりから車両外部の電源から供給される電力により充電可能な駆動用蓄電池を搭載し、駆動用蓄電池を電源として作動するモータを用いた電気自動車、プラグインハイブリッド自動車などの電動車両が注目されている。
【０００３】
これら電動車両の充電時間は、車両外部の電源の電力を大きくし、さらに電動車両に搭載する電力変換装置の扱える電力を大きくすることで短時間にすることができるので、小型で大きな電力が扱える電力変換装置が要求されている。小型化のために高いスイッチング周波数が望まれるが、スイッチング周波数の高周波化によって、スイッチング損失の増加およびスイッチングで生じる高調波やＥＭＩノイズが問題となる。
【０００４】
このようなスイッチング損失および高調波やＥＭＩノイズを低減させる駆動方式としてソフトスイッチングが知られている。（例えば、特許文献１）。
ソフトスイッチングによるＤＣ／ＤＣコンバータは、コンバータの一次側回路のスイッチ素子にかかる電圧を低く、若しくは、ゼロの状態とし、そして、そこに流れる電流のレベルが低く、若しくは、ゼロの状態として、スイッチング動作を行うものである。
【先行技術文献】
【特許文献】
【０００５】
【特許文献１】特開平１０−３３７０２１号公報（図５、段落００３９〜４１）
【発明の概要】
【発明が解決しようとする課題】
【０００６】
しかしながら、一般的なソフトスイッチング方式ＤＣ／ＤＣコンバータでは、軽負荷時において、ソフトスイッチングの領域からはずれ、スイッチング時のスイッチ素子にかかる電圧が十分に低くならずスイッチング損失が生じてしまう問題がある。
【０００７】
電動車両の充電においては、充電後半は充電電流を絞っていくため軽負荷の状態となる。また、車両外部の電源の供給電力が小さい場合には、充電電流を小さくしなければならず、動作は軽負荷時と同等となる。このように、電動車両の充電器では、充電状態や車両外部の電源状態によって負荷が変化するため、広範囲な負荷に対してソフトスイッチングが可能な電力変換装置が必要となる。
【０００８】
この発明は上記のような課題を解決するためになされたものであり、軽負荷時を含む広範囲の負荷に対してソフトスイッチングが可能な、電力変換装置を提供することを目的とするものである。
【課題を解決するための手段】
【０００９】
この発明に係る電力変換装置は、スイッチ素子と共振用コンデンサと共振用インダクタを具備し、共振用コンデンサと共振用インダクタの共振現象を利用してソフトスイッチングを行う1組のＤＣ／ＤＣコンバータと、ＤＣ／ＤＣコンバータの各スイッチ素子の駆動を制御する電力変換制御部を備え、ＤＣ／ＤＣコンバータは少なくとも２組以上設けて、それぞれが負荷に対して並列に接続され、電力変換制御部は、負荷へ供給する電流指令値とソフトスイッチング可能な範囲との関係から、動作させるＤＣ／ＤＣコンバータの数を決定することを特徴とするものである。
【発明の効果】
【００１０】
この発明によれば、ソフトスイッチング方式のＤＣ／ＤＣコンバータを少なくとも2組以上を負荷へ並列に接続し、負荷へ供給する電流の指令値とソフトスイッチング可能な範囲との関係から、ＤＣ／ＤＣコンバータの動作させる数を決定することを特徴とする電力変換装置であるので、軽負荷時には動作させるＤＣ／ＤＣコンバータを減らすことで、ソフトスイッチングの領域から外れることなく電力を変換することが可能となるという効果が得られる。
【図面の簡単な説明】
【００１１】
【図１】この発明の実施の形態１に係る電力変換装置の構成を示す図である。
【図２】この発明の実施の形態１に係る電力変換装置の制御処理の流れを示す図である。
【図３】この発明の実施の形態１に係る電力変換装置のソフトスイッチングが可能な電流指令値の範囲とＤＣ／ＤＣコンバータの起動数の関係を示す図である。
【発明を実施するための形態】
【００１２】
実施の形態１．
以下、この発明の実施の形態１における電力変換装置を図１〜図３に基づいて説明する。
図１はこの発明の実施の形態１に係る電力変換装置の構成を示す回路図である。但し、図１ではこの発明に直接関与しない構成要素については、図示を省略している。
図１において、電力変換装置１０は、直流入力源２０と負荷である駆動用蓄電池３０の間に接続される。直流入力源２０は、車両外部の電源が直流の場合は直接入力され、車両外部の電源が交流の場合はＡＣ／ＤＣ変換器によって直流に変換して入力される。
【００１３】
電力変換装置１０は、第１のＤＣ／ＤＣコンバータ４０と第２のＤＣ／ＤＣコンバータ５０を負荷である駆動用蓄電池３０に対して並列に接続した構成となっている。
第１のＤＣ／ＤＣコンバータ４０は、絶縁トランス２００を中心に入力側（一次側）と出力側（二次側）に分かれている。一次側はスイッチ素子１１０〜１４０で構成されたフルブリッジ回路となっており、スイッチ素子１１０〜１４０の各々にはコンデンサ１５０〜１８０を並列に接続している。絶縁トランス２００の一次側には直列にインダクタ１９０を接続している。
【００１４】
コンデンサ１５０〜１８０とインダクタ１９０はそれぞれ共振用のコンデンサ及びインダクタであって、これら共振用コンデンサ及び共振用インダクタの共振現象を利用してソフトスイッチングを行う。
絶縁トランス２００の二次側ではダイオード２１０〜２４０により全波整流回路となっている。全波整流回路を通った電流は二次側インダクタ２５０と平滑コンデンサ５００で平滑される。
【００１５】
第２のＤＣ／ＤＣコンバータ５０は、第１のＤＣ／ＤＣコンバータ４０と同一の回路構成で、スイッチ素子３１０〜３４０と、スイッチ素子３１０〜３４０に並列に接続されるコンデンサ３５０〜３８０と、インダクタ３９０、絶縁トランス４００、全波整流回路用ダイオード４１０〜４４０、二次側インダクタ４５０から構成される。
【００１６】
なお、スイッチ素子１１０〜１４０およびスイッチ素子３１０〜３４０はＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）で構成されているが、ＩＧＢＴ（Ｉｎｓｕｌａｔｅｄ  Ｇａｔｅ  Ｂｉｐｏｌａｒ  Ｔｒａｎｓｉｓｔｏｒ）でも良い。
また、ＤＣ／ＤＣコンバータ４０、５０は一例として、絶縁トランス２００、４００を用いた絶縁型のＤＣ／ＤＣコンバータで示しているが、絶縁トランスを用いない非絶縁型のチョッパ方式のＤＣ／ＤＣコンバータでも良い。
【００１７】
電力変換装置１０は、直流入力源２０の電圧レベルを駆動用蓄電池３０の電圧レベルへ変換するとともに、駆動用蓄電池３０の充電状態に応じて算出される電流指令値に従った電流を駆動用蓄電池３０へ供給することで、入力側電力を駆動用蓄電池３０へ移送する電力変換装置である。
また、第１のＤＣ／ＤＣコンバータ４０と第２のＤＣ／ＤＣコンバータ５０を共に動作させることにより、各々のＤＣ／ＤＣコンバータの出力電流を足し合わせた電流が平滑コンデンサ５００で平滑され、駆動用蓄電池３０へ供給されるので、ＤＣ／ＤＣコンバータ単体動作よりも大きな電力を供給できる。
【００１８】
なお、前記電流指令値は、電力変換装置１０が駆動用蓄電池３０の充電状態に応じて算出した値でも良いし、駆動用蓄電池３０の充電状態を管理する別ユニットが電流指令値を算出し電力変換装置１０へ前記電流指令値を通知しても良い。
【００１９】
電力変換制御部６００は、第１のＤＣ／ＤＣコンバータ４０のスイッチ素子１１０〜１４０および第２のＤＣ／ＤＣコンバータ５０のスイッチ素子３１０〜３４０の駆動を制御する。また、電力変換制御部６００は、ＤＣ／ＤＣコンバータの１組ごとの動作時間を計測する動作時間計測処理部６１０を有している。
電力変換装置１０は、ＤＣ／ＤＣコンバータの１組ごとの温度を測定する温度測定部を備え、温度測定部２６０は第１のＤＣ／ＤＣコンバータ４０の温度を測定し、温度測定部４６０は第２のＤＣ／ＤＣコンバータ５０の温度を測定し、電力変換制御部６００へ通知する。
【００２０】
次に、この発明の実施の形態１に係る電力変換装置１０における電力変換処理の流れについて、図２のフローチャートを用いて説明する。
図２に示すように、電力変換制御部６００は、ステップＳ１０００において、駆動用蓄電池３０へ供給する電流指令値が後述するソフトスイッチングが可能な範囲から定められる所定値Ｘより大きいか否かを判定する。電力変換制御部６００は、電流指令値が所定値Ｘ以下と判定した場合（ＮＯ）は、ステップＳ１１００に進み、一方、電流指令値が所定値Ｘより大きいと判定した場合（ＹＥＳ）は、ステップＳ１６００に進む。ステップＳ１６００においては、第１のＤＣ／ＤＣコンバータ４０と第２のＤＣ／ＤＣコンバータ５０を共に動作させて駆動用蓄電池３０へ電流指令値に従った電流を供給する。
【００２１】
ステップＳ１１００においては、電力変換制御部６００は、第１のＤＣ／ＤＣコンバータ４０の温度と第２のＤＣ／ＤＣコンバータ５０の温度が同じか否かを判定する。第１のＤＣ／ＤＣコンバータ４０の温度と第２のＤＣ／ＤＣコンバータ５０の温度が同じと判定した場合（ＹＥＳ）は、ステップＳ１３００に進み、第１のＤＣ／ＤＣコンバータ４０の温度と第２のＤＣ／ＤＣコンバータ５０の温度が異なっていると判定した場合（ＮＯ）は、ステップＳ１２００に進む。
【００２２】
ステップＳ１２００においては、第１のＤＣ／ＤＣコンバータ４０の温度が第２のＤＣ／ＤＣコンバータ５０の温度より高いか否かを判定する。第１のＤＣ／ＤＣコンバータ４０の温度が第２のＤＣ／ＤＣコンバータ５０の温度より高いと判定した場合（ＹＥＳ）は、ステップＳ１４００に進み、第１のＤＣ／ＤＣコンバータ４０の温度が第２のＤＣ／ＤＣコンバータ５０の温度以下と判定した場合（ＮＯ）は、ステップＳ１５００に進む。
【００２３】
ステップＳ１３００においては、第１のＤＣ／ＤＣコンバータ４０の動作時間が第２のＤＣ／ＤＣコンバータ５０の動作時間より長いか否かを判定する。第１のＤＣ／ＤＣコンバータ４０の動作時間が第２のＤＣ／ＤＣコンバータ５０の動作時間より長いと判定した場合（ＹＥＳ）は、ステップＳ１４００に進み、第１のＤＣ／ＤＣコンバータ４０の動作時間が第２のＤＣ／ＤＣコンバータ５０の動作時間以下と判定した場合はステップＳ１５００に進む。
【００２４】
ステップＳ１４００においては、第１のＤＣ／ＤＣコンバータ４０の動作を休止させ、第２のＤＣ／ＤＣコンバータ５０のみ動作させて駆動用蓄電池３０へ電流指令値に従った電流を供給する。
ステップＳ１５００においては、第２のＤＣ／ＤＣコンバータ５０の動作を休止させ、第１のＤＣ／ＤＣコンバータ４０のみ動作させて駆動用蓄電池３０へ電流指令値に従った電流を供給する。
【００２５】
なお、図２に示す処理は所定期間毎に実施し、第１のＤＣ／ＤＣコンバータ４０と第２のＤＣ／ＤＣコンバータ５０の温度が変化した場合や、動作時間が更新された場合に休止させるＤＣ／ＤＣコンバータを再度選択する。
【００２６】
以上の電力変換制御部６００におけるＤＣ／ＤＣコンバータの動作と休止の処理と、ソフトスイッチングが可能な電流指令値の範囲との関係は、例えば図３に示される。
横軸は電流指令値で、そのＬ１は１組のＤＣ／ＤＣコンバータだけを動作させた場合にソフトスイッチングが成立する電流指令値の下限を示し、Ｈ１は１組のＤＣ／ＤＣコンバータだけを動作させた場合に出力可能でかつソフトスイッチングが成立する電流指令値の上限を示している。
【００２７】
横軸のＬ２は２組のＤＣ／ＤＣコンバータを共に動作させた場合にソフトスイッチングが成立する電流指令値の下限を示し、横軸のＨ２は２組のＤＣ／ＤＣコンバータを共に動作させた場合に出力可能でかつソフトスイッチングが成立する電流指令値の上限を示している。
所定値Ｘは、２組のＤＣ／ＤＣコンバータを共に動作させた場合にソフトスイッチングが成立する電流指令値の下限値Ｌ２と、１組のＤＣ／ＤＣコンバータだけを動作させた場合に出力可能でかつソフトスイッチングが成立する電流指令値の上限値Ｈ１の間の範囲内に設定する。電流指令値が所定値Ｘより大きい場合は、２組のＤＣ／ＤＣコンバータを共に動作させる。
【００２８】
一方、電流指令値が所定値Ｘ以下となった場合は、ＤＣ／ＤＣコンバータの動作数を１とする。このとき、図２のフローチャートで示したように、第１のＤＣ／ＤＣコンバータ４０の温度と第２のＤＣ／ＤＣコンバータ５０の温度が同じ場合は、第１のＤＣ／ＤＣコンバータ４０の動作時間が第２のＤＣ／ＤＣコンバータ５０の動作時間より長いか否かを判定する。第１のＤＣ／ＤＣコンバータ４０の動作時間が第２のＤＣ／ＤＣコンバータ５０の動作時間以下と判定した場合は、スイッチ素子３１０〜３４０をすべてＯＦＦにして第２のＤＣ／ＤＣコンバータ５０の動作を休止させ、第１のＤＣ／ＤＣコンバータ４０のみを動作させる。
【００２９】
また、第１のＤＣ／ＤＣコンバータ４０の温度と第２のＤＣ／ＤＣコンバータ５０の温度が同じでなければ、第１のＤＣ／ＤＣコンバータ４０の温度が第２のＤＣ／ＤＣコンバータ５０の温度より高いか否かを判定する。第１のＤＣ／ＤＣコンバータ４０の温度が第２のＤＣ／ＤＣコンバータ５０の温度より高いと判定した場合は、スイッチ素子１１０〜１４０をすべてＯＦＦにして第１のＤＣ／ＤＣコンバータ４０の動作を休止させ、第２のＤＣ／ＤＣコンバータ５０のみを動作させる。
【００３０】
以上のように、この実施の形態１は、２組のＤＣ／ＤＣコンバータを共に動作させた場合のソフトスイッチング可能範囲から定められる所定値Ｘよりも電流指令値が小さい場合には、１組のＤＣ／ＤＣコンバータだけの動作にすることでソフトスイッチングが成立するので、電力変換装置１０のソフトスイッチング可能範囲を広げることができる。
さらに、動作時間がより多い方のＤＣ／ＤＣコンバータを休止させるのでＤＣ／ＤＣコンバータの寿命を延ばすことができる。
【００３１】
さらに、第１のＤＣ／ＤＣコンバータ４０の温度と第２のＤＣ／ＤＣコンバータ５０の温度が同じでなければ、動作時間よりも優先して、温度がより高い方のＤＣ／ＤＣコンバータを休止させるので、ＤＣ／ＤＣコンバータの故障を回避し寿命を延ばすことができる。
また、図２に示す処理を、所定期間毎に実行することにより、休止させるＤＣ／ＤＣコンバータを切り換えることが出来るので、ＤＣ／ＤＣコンバータの寿命を延ばすことができる。
【００３２】
なお、第１のＤＣ／ＤＣコンバータ４０の温度と第２のＤＣ／ＤＣコンバータ５０の温度が同じというのは、温度が全く等しい必要はなく、測定誤差等を含めＤＣ／ＤＣコンバータの故障や寿命に影響しない範囲で同じであれば良い。
また、実施の形態１の上記の説明においては、ＤＣ／ＤＣコンバータを２組だけ並列に接続した例について説明したが、２組以上のＤＣ／ＤＣコンバータを並列に接続した構成であれば、休止させるＤＣ／ＤＣコンバータの数を調整することで広範囲な負荷に対してソフトスイッチングが可能となることは自明である。
【００３３】
なお、スイッチ素子の回路構成は、フルブリッジだけでなく、ハーフブリッジを含めソフトスイッチング方式可能な回路構成であればよい。
なおこの発明は、その発明の範囲内において、各実施の形態を自由に組み合わせたり、各実施の形態を適宜、変形、省略することが可能である。
【産業上の利用可能性】
【００３４】
この発明は、電動車両に限定されることはなく、大電力から小電力までの広範囲な直流電力が必要な負荷へ直流入力を変換して供給する電力変換装置として利用することが出来、その場合においても、上記と同様の効果が得られることは言うまでもない。
【符号の説明】
【００３５】
１０：電力変換装置、２０：直流入力源、３０：駆動用蓄電池（負荷）、
４０：第１のＤＣ／ＤＣコンバータ  ５０：第２のＤＣ／ＤＣコンバータ、
１１０〜１４０：第１のＤＣ／ＤＣコンバータのスイッチ素子、
１５０〜１８０：第１のＤＣ／ＤＣコンバータのコンデンサ、
１９０：第１のＤＣ／ＤＣコンバータのインダクタ、
２００：第１のＤＣ／ＤＣコンバータの絶縁トランス、
２１０〜２４０：第１のＤＣ／ＤＣコンバータのダイオード、
２５０：第１のＤＣ／ＤＣコンバータの二次側インダクタ、２６０：温度測定部、
３１０〜３４０：第２のＤＣ／ＤＣコンバータのスイッチ素子、
３５０〜３８０：第２のＤＣ／ＤＣコンバータのコンデンサ、
３９０：第２のＤＣ／ＤＣコンバータのインダクタ、
４００：第２のＤＣ／ＤＣコンバータの絶縁トランス、
４１０〜４４０：第２のＤＣ／ＤＣコンバータのダイオード、
４５０：第２のＤＣ／ＤＣコンバータの二次側インダクタ、４６０：温度測定部、
５００：平滑コンデンサ、６００：電力変換制御部、６１０：動作時間計測処理部。
【図１】
2014236620.tif 000003
【図２】
2014236620.tif 000004
【図３】
2014236620.tif 000005
【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
スイッチ素子と共振用コンデンサと共振用インダクタを具備し、前記共振用コンデンサと前記共振用インダクタの共振現象を利用してソフトスイッチングを行う1組のＤＣ／ＤＣコンバータと、前記ＤＣ／ＤＣコンバータの各スイッチ素子の駆動を制御する電力変換制御部を備え、前記ＤＣ／ＤＣコンバータは少なくとも２組以上設けて、それぞれが負荷に対して並列に接続され、前記電力変換制御部は、前記負荷へ供給する電流指令値が所定値Ｘより大きい場合は、少なくとも２組以上のＤＣ／ＤＣコンバータを動作させるようにし、前記所定値Ｘは１組のＤＣ／ＤＣコンバータだけを動作させた場合に出力可能でかつソフトスイッチングが成立する電流指令値の上限と、２組以上のＤＣ／ＤＣコンバータを共に動作させた場合にソフトスイッチングが成立する電流指令値の下限の間に設定するようにした電力変換装置。
【請求項２】
前記電力変換制御部は、前記負荷へ供給する電流指令値が所定値Ｘより小さい場合は、１組のＤＣ／ＤＣコンバータを動作させるようにした請求項１に記載の電力変換装置。
【請求項３】
前記電力変換制御部は、少なくとも1組以上のＤＣ／ＤＣコンバータの動作を休止させている場合に、所定期間経過するごとに、休止させるＤＣ／ＤＣコンバータを変更することを特徴とする請求項１または請求項２に記載の電力変換装置。
【請求項４】
前記電力変換制御部は、前記ＤＣ／ＤＣコンバータの１組ごとの動作時間を計測する動作時間計測処理部を有し、１組以上のＤＣ／ＤＣコンバータの動作を休止とする場合に、動作時間が多いＤＣ／ＤＣコンバータを優先的に休止するように選択することを特徴とする請求項１乃至請求項３のいずれか１項に記載の電力変換装置。
【請求項５】
前記電力変換装置は、前記ＤＣ／ＤＣコンバータの１組ごとの温度を測定する温度測定部を備え、前記電力変換制御部は、１組以上のＤＣ／ＤＣコンバータの動作を休止とする場合に、温度がより高いＤＣ／ＤＣコンバータを優先的に休止するように選択することを特徴とする請求項１乃至請求項４のいずれか１項に記載の電力変換装置。
【請求項６】
前記電力変換制御部は、１組以上のＤＣ／ＤＣコンバータの動作を休止とする場合に、動作時間よりも温度がより高いＤＣ／ＤＣコンバータを優先的に休止するように選択することを特徴とする請求項５に記載の電力変換装置。
【手続補正２】
【補正対象書類名】明細書
【補正対象項目名】０００９
【補正方法】変更
【補正の内容】
【０００９】
この発明に係る電力変換装置は、スイッチ素子と共振用コンデンサと共振用インダクタを具備し、共振用コンデンサと共振用インダクタの共振現象を利用してソフトスイッチングを行う1組のＤＣ／ＤＣコンバータと、ＤＣ／ＤＣコンバータの各スイッチ素子の駆動を制御する電力変換制御部を備え、ＤＣ／ＤＣコンバータは少なくとも２組以上設けて、それぞれが負荷に対して並列に接続され、電力変換制御部は、負荷へ供給する電流指令値が所定値Ｘより大きい場合は、少なくとも２組以上のＤＣ／ＤＣコンバータを動作させるようにし、所定値Ｘは１組のＤＣ／ＤＣコンバータだけを動作させた場合に出力可能でかつソフトスイッチングが成立する電流指令値の上限と、２組以上のＤＣ／ＤＣコンバータを共に動作させた場合にソフトスイッチングが成立する電流指令値の下限の間に設定するようにしたことを特徴とするものである。